(57)【要約】【課題】専用の受像器を用いずに極めて簡単な方法で自然なアスペクト比の立体イメージを体感することができるようにする。【解決手段】左目用の画像の第１の映像光Ｃを使用者の左目Ｌに導く第１の光学ユニット２と、右目用の画像の第２の映像光Ｄを使用者の右目Ｒに導く第２の光学ユニット３と、第１の映像光Ｃと第２の映像光Ｄの輻輳角を調整する輻輳角調整機構１２，１４とを備えている。そして、第１の光学ユニット２は、第１の映像光Ｃを、第１の方向Ｙの倍率と第２の方向Ｘの倍率とを異なる比率に変化させる第１の倍率変換機構１１を有している。また、第２の光学ユニット３は、第２の映像光Ｄを、第１の方向Ｙの倍率と第２の方向Ｘの倍率とを異なる比率に変化させる第２の倍率変換機構１３を有している。【選択図】図１
2011008034.tif 000002
【特許請求の範囲】
【請求項１】
左目と右目の両眼視差を利用して立体映像を使用者に体感させるステレオビューア装置において、
左目用の画像の第１の映像光を前記使用者の左目に導くと共に、前記第１の映像光を、その光軸と直交する第１の方向の倍率と前記光軸及び前記第１の方向と直交する第２の方向の倍率とを異なる比率に変化させる第１の倍率変換機構を有する第１の光学ユニットと、
右目用の画像の第２の映像光を前記使用者の右目に導くと共に、前記第２の映像光を、その光軸と直交する第１の方向の倍率と前記光軸及び前記第１の方向と直交する第２の方向の倍率とを異なる比率に変化させる第２の倍率変換機構を有する第２の光学ユニットと、
前記第１の映像光と前記第２の映像光の輻輳角を調整する輻輳角調整機構と、
を備えたことを特徴とするステレオビューア装置。
【請求項２】
前記第１の倍率変換機構及び前記第２の倍率変換機構における前記第２の方向の倍率は、前記第１の方向の倍率よりも大きく設定されている
ことを特徴とする請求項１に記載のステレオビューア装置。
【請求項３】
前記第１の倍率変換機構及び前記第２の倍率変換機構における前記第２の方向の倍率は、前記第１の方向の倍率の約２倍に設定されている
ことを特徴とする請求項１又は２に記載のステレオビューア装置。
【請求項４】
前記輻輳角調整機構は、
前記第１の光学ユニットに収納された第１の輻輳角調整機構と、前記第２の光学ユニットに収納された第２の輻輳角調整機構とからなり、
前記第１の輻輳角調整機構は、第１の映像光を反射する第１のミラーと、前記第１のミラーによって反射された光を反射すると共に回動可能な第２のミラーとから構成され、
前記第２の輻輳角調整機構は、第２の映像光を反射する第１のミラーと、前記第１のミラーによって反射された光を反射すると共に回動可能な第２のミラーとから構成されている
ことを特徴とする請求項１〜３のいずれかに記載のステレオビューア装置。
【請求項５】
前記輻輳調整機構は、前記第１の光学ユニットを回動可能に支持する第１の回動軸と、前記第２の光学ユニットを回動可能に支持する第２の回動軸とからなる
ことを特徴とする請求項１〜３のいずれかに記載のステレオビューア装置。
【請求項６】
前記第１の倍率変換機構及び前記第２の倍率変換機構は、複数のシリンドリカルレンズからなるアナモルフィック光学系である
ことを特徴とする請求項請求項１〜５のいずれかに記載のステレオビューア装置。
【請求項７】
前記第１の倍率変換機構及び前記第２の倍率変換機構は、少なくとも２つのプリズムを用いたアナモルフィック光学系である
ことを特徴とする請求項１〜５のいずれかに記載のステレオビューア装置。
【発明の詳細な説明】
【技術分野】
【０００１】
本発明は、人間の左目と右目の両眼視差を利用して左右並べて表示された２つの画像を立体映像として使用者に体感させるステレオビューア装置に関する。
【背景技術】
【０００２】
近年、放送技術の進展に伴い、３Ｄ（立体）映像の放送が実用化されている。実用化されている３Ｄ映像の放送形式は、通常の受像器では左目用の画像と右目用の画像をテレビ画面に並べて表示させる、いわゆるサイドバイサイド方式を採用している。
【０００３】
このサイドバイサイド方式では、左目用の画像と右目用の画像の横幅は、本来の１／２に圧縮されている。このため、このようなサイドバイサイド方式の映像を視聴するためには、画像の横幅だけを２倍に拡大して２つの画像を重ね合わせて表示する専用の受像器と偏光眼鏡を用いる必要がある。
【０００４】
現在、専用の受像器を用いずに簡単に３Ｄ放送を視聴する方法として、ステレオビューア装置を使用し、人間の両眼視差を利用して立体映像を視聴する方法が提案されている（例えば、特許文献１参照）。
【０００５】
ここで、図１１を参照して従来のステレオビューア装置を用いた立体映像の体感方法について説明しておく。
図１１（ａ）に示すように、専用の受像器を用いない場合、テレビ画面２００には、左半分に左目用画像２０１が表示され、右半分には右目用画像２０２が表示されている。この従来のステレオビューア装置１００は、左目用画像２０１の第１の映像光Ｃをユーザの左目Ｌに導く第１の光学ユニット１０１と、右目用画像２０２の第２の映像光Ｄをユーザの右目Ｒに導く第２の光学ユニット１０２とを備えている。
【０００６】
第１の光学ユニット１０１及び第２の光学ユニット１０２は、それぞれ角度調節可能なミラー１０３を有している。このミラー１０３の角度を操作することで、輻輳角が変更されるようになっている。
【０００７】
すなわち、ユーザは、ステレオビューア装置１００の内部に装着された２つのミラー１０３の角度を操作することにより、輻輳角を適宜調整する。これにより、左目Ｌに左目用画像２０１の第１の映像光Ｃを導き、右目Ｒに右目用画像２０２の第２の映像光Ｄを導く。その結果、左目用画像２０１と右目用画像２０２がユーザの正面で融合されるので、ユーザは、両目の視差により図１１（ｂ）に示すような立体映像を体感することができる。
【先行技術文献】
【特許文献】
【０００８】
【特許文献１】特開平１１−２９５６５７号公報
【発明の概要】
【発明が解決しようとする課題】
【０００９】
しかしながら、図１１（ａ）に示すように、専用の受像器を用いない場合、テレビ画面には、本来の横幅２Ｓから１／２に圧縮された横幅Ｓの画像が表示されている。更に、従来のステレオビューア装置では、圧縮された横幅の倍率を変化させることができなかった。そのため、従来のステレオビューア装置を用いた場合の立体イメージは、図１１（ｂ）に示すように、縦幅Ｔは本来と同じ長さなのに対し、横幅が本来の１／２のＳに圧縮された極めて不自然なものとなっていた。
【００１０】
本発明の目的は、上記の問題点を考慮し、専用の受像器を用いずに極めて簡単な方法でアスペクト比が自然な立体イメージを体感することができるステレオビューア装置を提供することにある。
【課題を解決するための手段】
【００１１】
上記課題を解決し、本発明の目的を達成するため、本発明のステレオビューア装置は、左目と右目の両眼視差を利用して立体映像を使用者に体感させるものである。
このステレオビューア装置は、左目用の画像の第１の映像光を使用者の左目に導く第１の光学ユニットと、右目用の画像の第２の映像光を使用者の右目に導く第２の光学ユニットと、第１の映像光と第２の映像光の輻輳角を調整する輻輳角調整機構とを備えている。
そして、第１の光学ユニットは、第１の映像光を、その光軸と直交する第１の方向の倍率と光軸及び第１の方向と直交する第２の方向の倍率とを異なる比率に変化させる第１の倍率変換機構を有している。また、第２の光学ユニットは、第２の映像光を、その光軸と直交する第１の方向の倍率と光軸及び第１の方向と直交する第２の方向の倍率とを異なる比率に変化させる第２の倍率変換機構を有している。
【発明の効果】
【００１２】
本発明のステレオビューア装置によれば、第１の倍率変換機構と第２の倍率変換機構によって、映像光の第１の方向の倍率と第２の方向の倍率を異なる比率に変換できるので、より迫力のある立体映像を体感することができる。更に、専用の受像機を用いずに、極めて簡単な方法で横幅が圧縮された画像を、自然なアスペクト比に復元して立体映像を体感することが可能である。
【図面の簡単な説明】
【００１３】
【図１】本発明の第１の実施の形態例にかかるステレオビューア装置を模式的に示す平面図である。
【図２】本発明の第１の実施の形態例にかかるステレオビューア装置の第１の倍率変換機構を示す斜視図である。
【図３】本発明の第１の実施の形態例にかかるステレオビューア装置の使用状態を示す説明図である。
【図４】本発明の第１の実施の形態例にかかるステレオビューア装置の要部を示す説明図である。
【図５】本発明の第１の実施の形態例にかかるステレオビューア装置を使用した体感できる立体映像のイメージを示す説明図である。
【図６】本発明の第２の実施の形態例にかかるステレオビューア装置を示す模式図である。
【図７】本発明の第２の実施の形態例にかかるステレオビューア装置の要部を示す説明図である。
【図８】本発明の第３の実施の形態例にかかるステレオビューア装置を示す模式図である。
【図９】本発明の第３の実施の形態例にかかるステレオビューア装置の倍率変換機構を示す説明図である。
【図１０】本発明の４の実施の形態例にかかるステレオビューア装置を示す模式図である。
【図１１】従来のステレオビューア装置を説明するもので、図１１（ａ）は、従来のステレオビューア装置を使用した状態を示す説明図、図１１（ｂ）は、従来のステレオビューア装置を使用した場合の立体映像のイメージを示す説明図である。
【発明を実施するための形態】
【００１４】
以下、本発明のステレオビューア装置の実施形態例について、図１〜図１０を参照して説明する。なお、各図において共通の部材には、同一の符号を付している。また、本発明は、以下の形態に限定されるものではない。
なお、説明は以下の順序で行う。
１．第１の実施の形態例
１−１．ステレオビューア装置の構成例
１−２．ステレオビューア装置の使用方法
２．第２の実施の形態例
３．第３の実施の形態例
４．第４の実施の形態例
【００１５】
＜１．第１の実施の形態例＞
１−１．ステレオビューア装置の構成例
まず、図１〜図２を参照して本発明の第１の実施の形態例（以下、「本例」という。）にかかるステレオビューア装置について説明する。
図１は本例のステレオビューア装置を示す模式図、図２は本例のステレオビューア装置にかかるレンズ部を示す斜視図である。
【００１６】
本例のステレオビューア装置１は、人間の左目と右目の両眼視差を利用して立体映像を使用者に体感させる装置である。図１に示すように、本例のステレオビューア装置１は、第１の光学ユニット２と、この第１の光学ユニット２と所定の間隔を開けて配置された第２の光学ユニット３と、第１の光学ユニット２及び第２の光学ユニット３を収納する筐体４とから構成されている。このステレオビューア装置１は、第１の光学ユニット２と第２の光学ユニット３との間にミラー調整操作部６と、フォーカス調整操作部７が設けられている。
【００１７】
第１の光学ユニット２は、筐体４の一側に配置されており、第２の光学ユニット３は、筐体４の他側に配置されている。そして、左目用画像の第１の映像光Ｃは、第１の光学ユニット２によってユーザの左目Ｌに導かれ、右目用画像の第２の映像光Ｄは、第２の光学ユニット３によってユーザの右目Ｒに導かれる。この第１の光学ユニット２は、第１の倍率変換機構１１と、第１の輻輳角調整機構１２を有している。同様に、第２の光学ユニット３も、第２の倍率変換機構１３と、第２の輻輳角調整機構１４を有している。
【００１８】
なお、第１の倍率変換機構１１と第２の倍率変換機構１３は、ともに同じ部材で構成され同一の構造を有している。更に、第１の輻輳角調整機構１２と第２の輻輳角調整機構１４も、それぞれ同一の構造を有している。そのため、ここでは、第１の光学ユニット２の第１の倍率変換機構１１及び第１の輻輳角調整機構１２について説明する。
【００１９】
［倍率変換機構］
第１の倍率変換機構１１は、対物レンズである第１のレンズ１６と、この第１のレンズ１６における光軸方向の後方に配置された接眼レンズである第２のレンズ１７とを有している。図２に示すように、第１のレンズ１６は、かまぼこ形に形成されたシリンドリカル凸レンズである。第２のレンズ１７は、円柱状の屈折面を有するシリンドリカル凹レンズである。
【００２０】
第１のレンズ１６及び第２のレンズ１７は、第１の映像光Ｃの光軸と直交する第１の方向Ｙ、すなわち縦方向に対してレンズ作用を有していない。また、第１のレンズ１６及び第２のレンズ１７は、光軸及び第１の方向Ｙと直交する第２の方向Ｘ、すなわち横方向に対してはレンズ作用を有している。そのため、この第１の倍率変換機構１１は、第１のレンズ１６と第２のレンズ１７によって、第１の方向Ｙの倍率と第２の方向Ｘの倍率が異なる比率に変化させるアナモルフィック光学系を構成している。
【００２１】
第１のレンズ１６の焦点距離は、ｆａに設定されており、第２のレンズ１７の焦点距離は、ｆｂに設定されている。そして、本例では、第１の倍率変換機構１１における第１の方向Ｙの倍率は、１倍に設定されており、第２の方向Ｘの倍率は、ｆａ／ｆｂの２倍に設定されている。
【００２２】
更に、第２のレンズ１７は、フォーカス調整操作部７を操作することにより光軸方向に沿って、第１のレンズ１６に接近又は離反するように移動する。これにより、第１の光学ユニット２の焦点を調整することができる。なお、第１の光学ユニット２の第２のレンズ１７と、第２の光学ユニット３の第２のレンズ１７は、フォーカス調整操作部７によって、同期して第１のレンズ１６に接近又は離反移動する。
【００２３】
しかしながら、第１の光学ユニット２の第２のレンズ１７と第２の光学ユニット３の第２のレンズ１７をそれぞれ独立に移動するように構成してもよい。すなわち、第１の光学ユニット２の第２のレンズ１７のみを接近又は離反移動させる第１のフォーカス調整操作部を設けると共に、第２の光学ユニット３の第２のレンズ１７のみを接近又は離反移動させる第２のフォーカス調整操作部を設けてもよい。
【００２４】
［輻輳角調整機構］
図１に戻って説明すると、第１の輻輳角調整機構１２は、第１の映像光Ｃを反射する第１のミラー１８と、この第１のミラー１８によって反射された光を第１のレンズ１６に反射する第２のミラー１９とを有している。第２のミラー１９は、回動可能に支持されている。そして、この第２のミラー１９は、ミラー調整操作部６を操作することで回動し、第１のレンズに反射させる第１の映像光Ｃの入射角度を変化させている。また、この第１の輻輳角調整機構１２の第２のミラー１９は、第２の輻輳角調整機構１４の第２のミラー１９と同期してその角度が変化する。
【００２５】
なお、第１の輻輳角調整機構１２の第２のミラー１９と、第２の輻輳角調整機構１４の第２のミラー１９に対して、それぞれミラー調整操作部を設けて、それぞれ独立して回動するように構成してもよい。
【００２６】
１−２．ステレオビューア装置の使用方法
次に、図３〜図５を参照してステレオビューア装置の使用方法について説明する。
図３は本例のステレオビューア装置の使用状態を示す説明図である。図４は本例のステレオビューア装置の要部を示す説明図、図５は本例のステレオビューア装置を使用して体感できる立体映像のイメージを示す説明図である。
【００２７】
まず、フォーカス調整操作部７を操作して、第１の光学ユニット２の焦点がユーザの左目Ｌに合うように調整すると共に、第２の光学ユニット３の焦点がユーザの右目Ｒに合うように調整する。
【００２８】
次に、ミラー調整操作部６を操作して、第１の光学ユニット２によって拡大された左目用画像と、第２の光学ユニット３によって拡大された右目用画像を融合させる。具体的には、下記のようにして行われる。
【００２９】
ここで、図３に示すように、左目Ｌに接近して配置される第１の光学ユニット２から左目用画像２０１全体を視認できる角度、すなわち左目用画像２０１の左端Ｃ１及び右端Ｃ２と第１の光学ユニット２を結んで形成される角度をθとする。また、第１の光学ユニット２に入射された第１の映像光Ｃは、第１の倍率変換機構１１によって第２の方向Ｘに対して２倍に拡大される。
【００３０】
そのため、図４に示すように、ユーザが認識する左目認識画像３０１の左端Ｅ１及び右端Ｅ２とユーザの左目Ｌを結んで形成される角度は、２θとなる。その結果、ユーザは、左目用画像２０１を第２の方向Ｘに２倍に拡大した左目認識画像３０１を認識することになる。
【００３１】
そして、左目認識画像３０１の左端Ｅ１が、実際にテレビ画面２００に表示されている左目用画像２０１の左端Ｃ１と一致するように、ミラー調整操作部６を操作して第２のミラー１９の角度を調整する。これにより、ユーザは、左目認識画像３０１の右端Ｅ２が第２の方向Ｘに沿って右側に移動し、左目認識画像３０１の中心Ｏがユーザの正面に配置されているテレビ画面２００の中心まで移動したように体感する。その結果、左目用画像２０１に対して第２の方向Ｘに２倍に拡大された左目認識画像３０１がユーザの正面に配置される。
【００３２】
次に、左目と同様に、第２の光学ユニット３の第２のミラー１９の角度を調整し、右目認識画像の右端を実際にテレビ画面２００に表示されている右目用画像２０２の右端に一致させる。これにより、右目認識画像もユーザの正面に位置される。その結果、図５に示すように、左目認識画像と右目認識画像が融合し、ユーザは、横幅のみが２Ｓに拡大した立体映像を体感することができる。
【００３３】
ここで、テレビ画面２００に表示されている左目用画像２０１及び右目用画像２０２の横幅は、本来の画像の１／２に圧縮されている。そのため、立体映像の横幅を本来の横幅と等しくすることができ、本来の正しいアスペクト比の自然な立体画像をユーザに体感させることが可能となる。
【００３４】
なお、本例では、縦幅である第１の方向Ｙの倍率を等倍とし、横幅である第２の方向Ｘの倍率を２倍に設定した例を説明したが、これに限定されるものではない。例えば、第１の方向Ｙの倍率を２倍に設定し、第２の方向Ｘの倍率を４倍に設定してもよい。これにより、ユーザは、本来の表示画面よりも大きな立体映像を体感することができ、より迫力のある立体映像を体感することが可能である。
【００３５】
なお、左目用画像及び右目用画像の縦幅が本来の画像と等しいのに対し、横幅が本来の画像の１／２に圧縮されているため、第２の方向Ｘの倍率は、第１の方向Ｙの倍率の約２倍とすることが好ましい。しかしながら、光学系に誤差を含めて、第２の方向Ｘの倍率は、第１の方向Ｙの倍率の１．５倍から２．５倍の範囲に設定されていれば、その目的を達成できるものであり、アスペクト比に違和感のない自然な立体画像をユーザに体感させることができる。
【００３６】
＜２．第２の実施の形態例＞
次に、図６及び図７を参照して本発明のステレオビューア装置の第２の実施の形態例について説明する。
図６は、第２の実施の形態例にかかるステレオビューア装置を示す模式図、図７は、第２の実施の形態例にかかるステレオビューア装置の要部を示す説明図である。
【００３７】
この第２の実施の形態例にかかるステレオビューア装置２１が、第１の実施の形態例にかかるステレオビューア装置１と異なる点は、第１及び第２の輻輳角調整機構の構成である。
【００３８】
図６に示すように、この第２の実施の形態例にかかるステレオビューア装置２１は、第１の光学ユニット２２と第２の光学ユニット２３が蛇腹状の連結部２５によって連結されている。第１の光学ユニット２２と第２の光学ユニット２３の間には、フォーカス調整操作部２７が配置されている。
【００３９】
第１の光学ユニット２２は、第１の倍率変換機構３１を有しており、第２の光学ユニット２３は、第２の倍率変換機構３３を有している。第１の倍率変換機構３１は、第１のレンズ３６と、第２のレンズ３７とから構成されている。同様に、第２の倍率変換機構は、第１のレンズ３６と、第２のレンズ３７とから構成されている。
【００４０】
そして、第１の光学ユニット２２は、第１の回動軸２８によって回動可能に支持されている。同様に、第２の光学ユニット２３は、第２の回動軸２９によって回動可能に支持されている。この第１の回動軸２８と第２の回動軸２９によって輻輳角調整機構を構成している。
【００４１】
その他の構成は、上述した第１の実施の形態例にかかるステレオビューア装置１と同様であるため、それらの説明は省略する。このような構成を有するステレオビューア装置２１によっても、上述した第１の実施の形態例にかかるステレオビューア装置２１と同様の作用及び効果を得ることができる。
【００４２】
また、この第２の実施の形態例にかかるステレオビューア装置２１では、次のようにして立体映像を体感することができる。図７に示すように、第１の光学ユニット２２全体を回動させて、第１の倍率変換機構３１を構成する第１のレンズ３６及び第２のレンズ３７の中心、すなわち光軸を左目用画像の左端Ｃ１に合わせる。その結果、ユーザの左目Ｌで認識される左目認識画像の左端Ｅ１と、左目用画像の左端Ｃ１とを一致させることができ、左目認識画像をユーザの正面に配置させることができる。
【００４３】
なお、第２の光学ユニット２３の動作も第１の光学ユニット２２と同様であるため、その説明は省略する。これにより、左目認識画像と右目認識画像を容易に融合させることができ、容易に立体映像を体感することができる。
【００４４】
なお、この第２の実施の形態例にかかるステレオビューア装置２１によれば、第１の実施の形態例にかかるステレオビューア装置からミラーを省略することができるため、第１の実施の形態例にかかるステレオビューア装置よりも部品点数の削減を図ることが可能である。
【００４５】
＜３．第３の実施の形態例＞
次に、図８〜９を参照して本発明のステレオビューア装置の第３の実施の形態例について説明する。
図８は、第３の実施の形態例にかかるステレオビューア装置を示す模式図、図９は、第３の実施の形態例にかかるステレオビューア装置の倍率変換機構を示す説明図である。
この第３の実施の形態例にかかるステレオビューア装置４１は、第１の倍率変換機構及び第２の倍率変換機構にプリズムを用いたものである。そのため、ここでは、第１の倍率変換機構及び第２の倍率変換機構について説明し、第１の実施の形態例にかかるステレオビューア装置１と共通する部分については同一の符号を付してその説明を省略する。
【００４６】
図８に示すように、第３の実施の形態例にかかるステレオビューア装置４１は、第１の光学ユニット４２と、第２の光学ユニット４３とを有している。第１の光学ユニット４２は、第１の倍率変換機構５１と、第１の輻輳角調整機構１２とから構成されている。また、第２の光学ユニット４３は、第２の倍率変換機構５３と、第２の輻輳角調整機構１４とから構成されている。なお、第１の倍率変換機構５１と第２の倍率変換機構５３は、それぞれ同一の構成を有しているため、ここでは、第１の倍率変換機構５１について説明する。
【００４７】
第１の倍率変換機構５１は、第１のプリズム５６と、この第１のプリズム５６における光軸方向の後方に配置された第２のプリズム５７とを有している。図９（ａ）に示すように、第１のプリズム５６及び第２のプリズム５７は、それぞれ同じ角度θ１の頂角を有している。
【００４８】
この角度θ１は、例えば３２°に設定されている。また、第１のプリズム５６と第２のプリズム５７の間の角度θ２は、例えば５２°に設定されている。更に、第１のプリズム５６と第２のプリズム５７の屈折率は、例えば１．４９に設定されている。このとき、第１のプリズム５６に幅Ａの間隔で平行に入射された光は、第２のプリズム５７からＡ／２の幅Ｂの間隔で出射される。
【００４９】
この条件下で、図９（ｂ）に示すように、角度θＡで第１のプリズム５６に入射した第１の映像光Ｃは、第２のプリズム５７から角度θＢで出射されて、ユーザの左目Ｌに導かれる。このとき、角度θＡと角度θＢの関係は、θＢ／θＡ≒２となる。そのため、ユーザが認識する左目認識画像は、テレビ画面等に表示された左目用画像を第２の方向Ｘに約２倍に拡大される。
【００５０】
また、光が１個のプリズムを通過すると、色分散を起こして、光線の方向が変わり色収差が発生する。そのため、本例では、第１のプリズム５６及び第２のプリズム５７で２段階に屈折することで、プリズムの屈折に起因する色収差を大幅に抑制させることができる。なお、公知の色消しプリズムを用いて、色収差を解消させてもよい。
【００５１】
その他の構成は、上述した第１の実施の形態例にかかるステレオビューア装置１と同様であるため、それらの説明は省略する。このような構成を有するステレオビューア装置４１によっても、上述した第１の実施の形態例にかかるステレオビューア装置１と同様の作用及び効果を得ることができる。
【００５２】
なお、この第３の実施の形態例にかかるステレオビューア装置１によれば、フォーカス調整の機構が不要となるため、第１の実施の形態例にかかるステレオビューア装置１よりも部品点数の削減を図ることが可能である。
【００５３】
＜４．第４の実施の形態例＞
次に、図１０を参照して本発明のステレオビューア装置の第４の実施の形態例について説明する。
図１０は、第４の実施の形態例にかかるステレオビューア装置を示す模式図である。
【００５４】
この第４の実施の形態例にかかるステレオビューア装置６１は、上述した第３の実施の形態例にかかるステレオビューア装置４１の輻輳角調整機構の構成を変更したものである。すなわち、図１０に示すように、第４の実施の形態例にかかるステレオビューア装置６１を構成する第１の光学ユニット６２と第２の光学ユニット６３は、蛇腹状の連結部６５によって連結されている。
【００５５】
また、第１の光学ユニット６２は、第１の回動軸６８によって回動可能に支持されている。同様に、第２の光学ユニット６３は、第２の回動軸６９によって回動可能に支持されている、この第１の回動軸６８と第２の回動軸６９によって輻輳角調整機構を構成している。
【００５６】
この第４の実施の形態例にかかるステレオビューア装置６１は、上述した第２の実施の形態例にかかるステレオビューア装置２１と同様に、第１の光学ユニット６２及び第２の光学ユニット６３全体を回動させることで、左目認識画像と右目認識画像を融合させる。これにより、ユーザは、容易に立体映像を体感することができる。
【００５７】
その他の構成は、上述した第３の実施の形態例にかかるステレオビューア装置４１と同様であるため、それらの説明は省略する。このような構成を有するステレオビューア装置６１によっても、上述した第１〜第３の実施の形態例にかかるステレオビューア装置１と同様の作用及び効果を得ることができる。
【００５８】
なお、本発明は上述しかつ図面に示した実施の形態例に限定されるものではなく、特許請求の範囲に記載した発明の要旨を逸脱しない範囲内で種々の変形実施が可能である。例えば、第１の光学ユニットと第２の光学ユニットの間隔を調整できるようにし、ユーザの左目と右目の幅に合わせることができるように構成してもよい。
【００５９】
また、上述した実施の形態例では、テレビ画面に表示された立体映像を体感するために本発明のステレオビューア装置を用いた例について説明したが、これに限定されるものではない。例えば、同一被写体に対して位置を変えて写真撮影した左右２枚の写真、いわゆるステレオ写真を視認するために本発明のステレオビューア装置を使用してもよい。
【符号の説明】
【００６０】
１，２１，４１，６１…ステレオビューア装置、  ２，２２，４２，６２…第１の光学ユニット、  ３，２３，４３，６３…第２の光学ユニット、  ６…ミラー調整操作部、  ７…フォーカス調整操作部、  １１，３１，５１…第１の倍率変換機構、  １２…第１の輻輳角調整機構、  １３，３３，５３…第２の倍率変換機構、  １４…第２の輻輳角調整機構、  １６，３６…第１のレンズ、  １７，３７…第２のレンズ、  １８…第１のミラー、  １９…第２のミラー、  ２８，６８…第１の回動軸、  ２９，６９…第２の回動軸、  ５６…第１のプリズム、  ５７…第２のプリズム、  ２００…テレビ画面、  ２０１…左目用画像、  ２０２…右目用画像、  Ｃ…第１の映像光、  Ｄ…第２の映像光、  Ｌ…左目、  Ｒ…右目、  Ｙ…第１の方向、  Ｘ…第２の方向
【図１】
2011008034.tif 000003
【図２】
2011008034.tif 000004
【図３】
2011008034.tif 000005
【図４】
2011008034.tif 000006
【図５】
2011008034.tif 000007
【図６】
2011008034.tif 000008
【図７】
2011008034.tif 000009
【図８】
2011008034.tif 000010
【図９】
2011008034.tif 000011
【図１０】
2011008034.tif 000012
【図１１】
2011008034.tif 000013